(57)【要約】【課題】  過去に閲覧したウェブページへユーザーを適切に案内する。【解決手段】  ルート情報送信部３２は、ウェブブラウザー３ａにより所定のウェブページが閲覧された場合、そのウェブページまでのウェブページ遷移を示すルート情報を、ウェブブラウザー３ａに送信して、当該ウェブサーバー１への次回のアクセス時に送信するために記憶させる。そして、ウェブブラウザー３ａからウェブページ閲覧要求およびルート情報が受信されると、ウェブページ閲覧要求の対象であるウェブページにおいて、ルート情報により特定されるウェブページ遷移内のいずれかのウェブページへのリンクが存在する場合には、データ編集部３４は、ウェブページ閲覧要求の対象であるウェブページのデータを編集してそのリンクを装飾する。【選択図】  図１
2013218383.tif 000002
【特許請求の範囲】
【請求項１】
ウェブブラウザーにより所定のウェブページが閲覧された場合、そのウェブページまでのウェブページ遷移を示すルート情報を、前記ウェブブラウザーに送信して、当該ウェブサーバーへの次回のアクセス時に送信するために記憶させるルート情報送信部と、
前記ウェブブラウザーからウェブページ閲覧要求および前記ルート情報を受信すると、前記ウェブページ閲覧要求の対象であるウェブページにおいて、前記ルート情報により特定されるウェブページ遷移内のいずれかのウェブページへのリンクが存在するか否かを判定するルート解析部と、
前記ルート解析部によりウェブページ遷移内のいずれかのウェブページへのリンクが存在すると判定された場合、前記ウェブページ閲覧要求の対象であるウェブページのデータを編集して前記リンクを装飾するデータ編集部と、
前記リンクを装飾された前記ウェブページのデータを前記ウェブブラウザーへ送信する通信処理部と、
を備えることを特徴とするウェブサーバー。
【請求項２】
前記データ編集部は、前記ウェブページのデータにおいて、前記リンクのＨＴＭＬ要素または前記リンクのＨＴＭＬ要素の親要素の色属性を変更して前記リンクを装飾することを特徴とする請求項１記載のウェブサーバー。
【請求項３】
前記データ編集部は、前記ウェブページのデータにおいて、前記リンクのＨＴＭＬ要素または前記リンクのＨＴＭＬ要素の親要素に、所定の装飾画像ファイルのｉｍｇ要素を挿入して前記リンクを装飾することを特徴とする請求項１記載のウェブサーバー。
【請求項４】
前記ルート情報送信部は、前記ウェブページ遷移に固有のルートＩＤを、前記ルート情報として送信し、
前記ルート解析部は、前記ルート情報として受信された前記ルートＩＤから前記ウェブページ遷移を特定すること、
を特徴とする請求項１記載のウェブサーバー。
【請求項５】
前記データ編集部は、複数のウェブページに対応して前記ルート情報が複数存在する場合、前記ルート情報に応じて異なる装飾を前記リンクに対して行うことを特徴とする請求項１記載のウェブサーバー。
【請求項６】
前記データ編集部は、前記リンクを装飾するとき、前記ルート情報送信部が前記ルート情報を送信したときの日にちおよび／または時間を前記リンクに対応付けて表示するためのデータを、前記ウェブページデータに追加することを特徴とする請求項１記載のウェブサーバー。
【請求項７】
前記ルート情報送信部は、前記ルート情報をクッキーで送信することを特徴とする請求項１から請求項６のうちのいずれか１項記載のウェブサーバー。
【請求項８】
ウェブブラウザーにより所定のウェブページが閲覧された場合、そのウェブページまでのウェブページ遷移を示すルート情報を、ウェブサーバーから前記ウェブブラウザーに送信して、前記ウェブブラウザーから前記ウェブサーバーへの次回のアクセス時に送信するために記憶させるステップと、
前記ウェブサーバーが前記ウェブブラウザーからウェブページ閲覧要求および前記ルート情報を受信すると、前記ウェブページ閲覧要求の対象であるウェブページにおいて、前記ルート情報により特定されるウェブページ遷移内のいずれかのウェブページへのリンクが存在するか否かを判定するステップと、
前記ウェブページ閲覧要求の対象であるウェブページにおいて、前記ウェブページ遷移内のいずれかのウェブページへのリンクが存在すると判定した場合、前記ウェブサーバーにおいて、前記ウェブページ閲覧要求の対象であるウェブページのデータを編集して前記リンクを装飾するステップと、
前記リンクを装飾された前記ウェブページのデータを前記ウェブサーバーから前記ウェブブラウザーへ送信するステップと、
を備えることを特徴とするウェブ案内方法。
【発明の詳細な説明】
【技術分野】
【０００１】
本発明は、ウェブサーバーおよびウェブ案内方法に関するものである。
【背景技術】
【０００２】
インターネット上のウェブサーバーでは、種々のウェブページが公開されており、ユーザーは、ウェブブラウザーを使用して、閲覧対象のウェブページのＵＲＬ（Uniform Resource Locator）を指定してウェブサーバーにアクセスすることで、ウェブページを閲覧することができる。
【０００３】
過去に閲覧したウェブページのＵＲＬを保存する機能として、ウェブブラウザーのブックマーク機能がある（例えば特許文献１参照）。
【０００４】
その他、ウェブブラウザーを有する端末装置が、ウェブサイトやウェブページへのアクセス履歴を保存し、アクセスしたウェブサイトやウェブページの一覧を表示する技術が提案されている（例えば特許文献２，３参照）。
【先行技術文献】
【特許文献】
【０００５】
【特許文献１】特開２００５−２４２９６４号公報
【特許文献２】特開２００２−３２８８５７号公報
【特許文献３】特開２００５−０５６３７１号公報
【発明の概要】
【発明が解決しようとする課題】
【０００６】
上述のブックマーク機能については、ユーザーが、ブックマークに登録するための操作をする必要があるとともに、ブックマークされたウェブページが多くなると、閲覧したいウェブページのブックマークを探しにくくなってしまう。また、上述のアクセス履歴については、閲覧したウェブサイトやウェブページが多くなると、閲覧したいウェブページを探しにくくなってしまう。
【０００７】
このように上述の技術では、ユーザーが様々なウェブページにアクセスすると、履歴が増大し、過去に閲覧したウェブページへユーザーを適切に案内することが困難である。
【０００８】
本発明は、上記の問題に鑑みてなされたものであり、過去に閲覧したウェブページへユーザーを適切に案内することができるウェブサーバーおよびウェブ案内方法を得ることを目的とする。
【課題を解決するための手段】
【０００９】
上記の課題を解決するために、本発明では以下のようにした。
【００１０】
本発明に係るウェブサーバーは、（ａ）ウェブブラウザーにより所定のウェブページが閲覧された場合、そのウェブページまでのウェブページ遷移を示すルート情報を、ウェブブラウザーに送信して、当該ウェブサーバーへの次回のアクセス時に送信するために記憶させるルート情報送信部と、（ｂ）ウェブブラウザーからウェブページ閲覧要求およびルート情報を受信すると、ウェブページ閲覧要求の対象であるウェブページにおいて、ルート情報により特定されるウェブページ遷移内のいずれかのウェブページへのリンクが存在するか否かを判定するルート解析部と、（ｃ）ルート解析部によりウェブページ遷移内のいずれかのウェブページへのリンクが存在すると判定された場合、ウェブページ閲覧要求の対象であるウェブページのデータを編集してそのリンクを装飾するデータ編集部と、（ｄ）そのリンクを装飾されたウェブページのデータをウェブブラウザーへ送信する通信処理部とを備える。
【００１１】
これにより、ウェブブラウザーで表示中のウェブページにおいて、閲覧済みの所定のウェブページへのウェブページ遷移のための案内（リンクの装飾）が表示されるため、過去に閲覧したウェブページへユーザーを適切に案内することができる。
【００１２】
また、本発明に係るウェブサーバーは、上記のウェブサーバーに加え、次のようにしてもよい。この場合、データ編集部は、上述のウェブページのデータにおいて、上述のリンクのＨＴＭＬ（Hypertext Markup Language）要素またはそのリンクのＨＴＭＬ要素の親要素の色属性を変更してそのリンクを装飾する。
【００１３】
また、本発明に係るウェブサーバーは、上記のウェブサーバーに加え、次のようにしてもよい。この場合、データ編集部は、上述のウェブページのデータにおいて、上述のリンクのＨＴＭＬ要素またはそのリンクのＨＴＭＬ要素の親要素に、所定の装飾画像ファイルのｉｍｇ要素を挿入してそのリンクを装飾する。
【００１４】
また、本発明に係るウェブサーバーは、上記のウェブサーバーに加え、次のようにしてもよい。この場合、ルート情報送信部は、ウェブページ遷移に固有のルートＩＤを、ルート情報として送信し、ルート解析部は、ルート情報として受信されたルートＩＤからウェブページ遷移を特定する。
【００１５】
これにより、ルート情報として送受信する情報が少なくて済み、ルート情報の送受信に要する時間が少なくて済む。
【００１６】
また、本発明に係るウェブサーバーは、上記のウェブサーバーに加え、次のようにしてもよい。この場合、データ編集部は、複数のウェブページに対応してルート情報が複数存在する場合、ルート情報に応じて異なる装飾をリンクに対して行う。
【００１７】
また、本発明に係るウェブサーバーは、上記のウェブサーバーに加え、次のようにしてもよい。この場合、データ編集部は、リンクを装飾するとき、ルート情報送信部がルート情報を送信したときの日にちおよび／または時間をリンクに対応付けて表示するためのデータを、ウェブページデータに追加する。
【００１８】
また、本発明に係るウェブサーバーは、上記のウェブサーバーに加え、次のようにしてもよい。この場合、ルート情報送信部は、ルート情報をクッキーで送信する。
【００１９】
本発明に係るウェブ案内方法は、（ａ）ウェブブラウザーにより所定のウェブページが閲覧された場合、そのウェブページまでのウェブページ遷移を示すルート情報を、ウェブサーバーからウェブブラウザーに送信して、ウェブブラウザーからウェブサーバーへの次回のアクセス時に送信するために記憶させるステップと、（ｂ）ウェブサーバーがウェブブラウザーからウェブページ閲覧要求およびルート情報を受信すると、ウェブページ閲覧要求の対象であるウェブページにおいて、ルート情報により特定されるウェブページ遷移内のいずれかのウェブページへのリンクが存在するか否かを判定するステップと、（ｃ）ウェブページ閲覧要求の対象であるウェブページにおいてウェブページ遷移内のいずれかのウェブページへのリンクが存在すると判定した場合、ウェブサーバーにおいて、ウェブページ閲覧要求の対象であるウェブページのデータを編集してそのリンクを装飾するステップと、（ｄ）そのリンクを装飾されたウェブページのデータをウェブサーバーからウェブブラウザーへ送信するステップとを備える。
【００２０】
これにより、ウェブブラウザーで表示中のウェブページにおいて、閲覧済みの所定のウェブページへのウェブページ遷移のための案内（リンクの装飾）が表示されるため、過去に閲覧したウェブページへユーザーを適切に案内することができる。
【発明の効果】
【００２１】
本発明によれば、過去に閲覧したウェブページへユーザーを適切に案内することができる。
【図面の簡単な説明】
【００２２】
【図１】図１は、本発明の実施の形態に係るウェブサーバーの構成を示すブロック図である。
【図２】図２は、図１における登録図面データの一例を示す図である。
【図３】図３は、図１におけるルートデータの一例を示す図である。
【図４】図４は、図１に示すウェブサーバーの動作を説明するフローチャートである。
【図５】図５は、図１に示すウェブサーバーから提供されるウェブページの一例を示す図である。
【図６】図６は、図５に示すウェブページにおける、ルートデータに基づく案内（リンクの装飾）の一例を示す図である。
【図７】図７は、図５に示すウェブページにおける、ルートデータに基づく案内（リンクの装飾）の他の例を示す図である。
【発明を実施するための形態】
【００２３】
以下、図に基づいて本発明の実施の形態を説明する。
【００２４】
図１は、本発明の実施の形態に係るウェブサーバーの構成を示すブロック図である。図１において、ウェブサーバー１は、インターネットなどのネットワーク２に接続され、ネットワーク２に接続されたクライアント装置３のウェブブラウザー３ａとＨＴＴＰ（Hypertext Transfer Protocol）で通信を行う。ウェブサーバー１は、所定のＩＰアドレスを有し、所定のドメインに対する要求を受け付ける。
【００２５】
ウェブサーバー１は、通信装置１１、記憶装置１２、演算処理装置１３などを備える装置である。
【００２６】
通信装置１１は、ネットワークインターフェイスなどであって、ネットワーク２に接続され所定のプロトコルでデータ通信を行う装置である。
【００２７】
記憶装置１２は、不揮発性の記憶装置であって、各種データやプログラムを記憶する装置である。この実施の形態では、記憶装置１２は、ウェブページデータ２１、登録ページデータ２２、ルートデータ２３などを記憶している。
【００２８】
ウェブページデータ２１は、ＨＴＭＬ、Ｊａｖａｓｃｒｉｐｔなどでウェブページを記述したデータである。
【００２９】
登録ページデータ２２は、あるウェブサイト内における案内の目的（ターゲット画面）および案内途中のウェブページの画面ＩＤとそのウェブページのＵＲＬとの対応関係を示すデータである。図２は、図１における登録図面データ２２の一例を示す図である。
【００３０】
ルートデータ２３は、ウェブサイトのトップページ（例えば図２における「http://wwyy.jp/index.html」）から案内の目的のウェブページ（ターゲット画面）までのウェブページ遷移を示す遷移情報と、その遷移情報に固有なルートＩＤとを、互いに関連付けた状態で有するデータである。ここでは、遷移情報は、画面ＩＤの配列である。図３は、図１におけるルートデータ２３の一例を示す図である。
【００３１】
演算処理装置１３は、ＣＰＵ（Central Processing Unit）、ＲＯＭ（Read Only Memory）、およびＲＡＭ（Random Access Memory）を有するコンピューターであって、ＲＯＭや記憶装置１２に記憶されているプログラムをＲＡＭにロードしてＣＰＵで実行することにより、各種処理部を形成する。
【００３２】
演算処理装置１３では、通信処理部３１、ルート情報送信部３２、ルート解析部３３、およびデータ編集部３４が形成される。
【００３３】
通信処理部３１は、ＨＴＴＰサーバーを有し、ＨＴＴＰでデータ通信を行う。
【００３４】
ルート情報送信部３２は、ウェブブラウザー３ａにより所定のウェブページが閲覧された場合、そのウェブページまでのウェブページ遷移を示すルート情報を、そのウェブブラウザー３ａに送信して、このウェブサーバー１への次回のアクセス時に送信するために記憶させる。この実施の形態では、ルート情報送信部３２は、ルート情報をクッキーで送信する。
【００３５】
ルート解析部３３は、ウェブブラウザー３ａからウェブページ閲覧要求時にクッキーとしてルート情報を受信すると、そのウェブページ閲覧要求の対象であるウェブページにおいて、そのルート情報により特定されるウェブページ遷移内のいずれかのウェブページへのリンクが存在するか否かを判定する。
【００３６】
なお、ルート情報は、上述の遷移情報でもよいし、ルートＩＤでもよい。ルート情報送信部３２が、ルートＩＤをルート情報として送信する場合、ルート解析部３３は、ルートデータ２３を参照して、ルート情報として受信されたルートＩＤからウェブページ遷移（上述の遷移情報）を特定する。
【００３７】
データ編集部３４は、ルート解析部３３によりウェブページ遷移内のいずれかのウェブページへのリンクが存在すると判定された場合、そのウェブページ閲覧要求の対象であるウェブページのデータを編集してそのリンクを所定の方法で装飾する。
【００３８】
例えば、データ編集部３４は、そのウェブページのデータにおいて、そのリンクのＨＴＭＬ要素またはそのリンクのＨＴＭＬ要素の親要素の色属性（例えば背景色）を変更して、そのリンクを装飾する。これにより、ターゲット画面にたどり着くために選択すべきリンクの前景色および／または背景色が変更されるため、ユーザーは、その色の変化によって、選択すべきリンクを特定できる。
【００３９】
また、例えば、データ編集部３４は、そのウェブページのデータにおいて、リンクのＨＴＭＬ要素またはそのリンクのＨＴＭＬ要素の親要素に、所定の装飾画像ファイルのｉｍｇ要素を挿入して、そのリンクを装飾する。これにより、装飾画像ファイルによる装飾画像が、ターゲット画面にたどり着くために選択すべきリンクに付されるため、ユーザーは、装飾画像によって、選択すべきリンクを特定できる。
【００４０】
次に、上記ウェブサーバー１の動作について説明する。図４は、図１に示すウェブサーバー１の動作を説明するフローチャートである。
【００４１】
まず、通信処理部３１は、ウェブブラウザー３ａから、このウェブサーバー１の管理するドメイン宛のウェブページ閲覧要求が送信されてくると、それを受信する（ステップＳ１）。なお、ウェブページ閲覧要求は、ＨＴＴＰ−ＧＥＴコマンドであり、閲覧要求の対象であるウェブページのＵＲＬを指定する。
【００４２】
また、ウェブブラウザー３ａは、そのドメインについてのクッキーを保持している場合、そのクッキーを送信する。ウェブブラウザー３ａから、クッキーが送信されてくると、通信処理部３１は、クッキーを受信する（ステップＳ２）。そのクッキーには、ルート情報が含まれる。一方、ウェブブラウザー３ａが、そのドメインにアクセスしたことがなく、クッキーを保持していない場合には、通信処理部３１によってクッキーは受信されない。
【００４３】
通信処理部３１によってクッキーが受信されなかった場合、ルート情報送信部３２は、その閲覧要求の対象のウェブページが、ルートデータ２３に登録されているターゲット画面のウェブページである場合には（ステップＳ３）、そのウェブページのルート情報をクッキーでウェブブラウザー３ａへ送信する（ステップＳ４）。このルート情報は、次回、ウェブブラウザー３ａがこのウェブサーバー１（つまり、このドメイン）にアクセスするときに、クッキーで送信される。
【００４４】
そして、通信処理部３１は、閲覧要求されたウェブページのウェブページデータ２１を読み出し、ウェブブラウザー３ａへ送信する（ステップＳ５）。なお、このとき、閲覧要求されたウェブページが動的なウェブページである場合には、図示せぬウェブページ生成部が、ウェブページデータを生成し、通信処理部３１に供給する。
【００４５】
一方、通信処理部３１によってクッキーが受信された場合、ルート解析部３３は、クッキーからルート情報を抽出し、そのルート情報に対応する遷移情報を特定し（ステップＳ６）、まず、閲覧要求されたウェブページがターゲット画面のウェブページであるか否かを判定する（ステップＳ７）。
【００４６】
閲覧要求されたウェブページがターゲット画面のウェブページである場合、通信処理部３１は、閲覧要求されたウェブページのウェブページデータ２１をウェブブラウザー３ａへ送信する（ステップＳ５）。
【００４７】
一方、閲覧要求されたウェブページがターゲット画面のウェブページではない場合、ルート解析部３３は、閲覧要求されたウェブページが、遷移情報内のいずれかのウェブページであるか否かを判定する（ステップＳ８）。
【００４８】
閲覧要求されたウェブページが、遷移情報内のいずれのウェブページでもない場合、通信処理部３１は、閲覧要求されたウェブページのウェブページデータ２１をウェブブラウザー３ａへ送信する（ステップＳ５）。
【００４９】
一方、閲覧要求されたウェブページが、遷移情報内のいずれかのウェブページである場合、ルート解析部３３は、（ａ）遷移情報内における閲覧要求されたウェブページの次のウェブページのＵＲＬを、登録ページデータ２２およびルートデータ２３から特定するとともに、閲覧要求されたウェブページのウェブページデータ２１を取得し、（ｂ）そのウェブページデータ２１内で、次のウェブページのＵＲＬを有するリンクを発見する。データ編集部３４は、そのウェブページデータに対して、そのリンクに対する上述の装飾処理を施す（ステップＳ９）。なお、このとき、記憶装置１２に記憶されているウェブページデータ２１は変更されず、取得されたウェブページデータのみが変更される。
【００５０】
そして、通信処理部３１は、装飾処理を施されたウェブページデータを、閲覧要求されたウェブページのウェブページデータとしてウェブブラウザー３ａへ送信する（ステップＳ１０）。
【００５１】
クライアント装置３では、ウェブブラウザー３ａは、閲覧要求したウェブページのウェブページデータを受信すると、そのウェブページデータに基づく画面を表示する。このとき、ウェブページデータが装飾処理を施されていれば、ユーザーを案内するための配色や装飾画像によって、ユーザーは、ターゲット画面にたどり着くために選択すべきリンクを特定できる。
【００５２】
図５は、図１に示すウェブサーバー１から提供されるウェブページの一例を示す図である。図６は、図５に示すウェブページにおける、ルートデータに基づく案内（リンクの装飾）の一例を示す図である。
【００５３】
例えば、図５において、メニュー内の項目＃５のサブメニューにおける項目Ｂを選択すると、ターゲット画面が表示される場合、まず、トップページにアクセスすると、図６（Ａ）に示すように、項目＃５を含むＨＴＭＬ要素の背景色が変更されて表示される。これにより、ユーザーは、項目＃５を選択すればよいことがわかる。そして、ユーザーが項目＃５を選択しサブメニューを表示させると、図６（Ｂ）に示すように、項目Ｂを含むＨＴＭＬ要素の背景色が変更されて表示される。これにより、ユーザーは、項目Ｂを選択すればよいことがわかる。そして、ユーザーが項目Ｂを選択すると、ターゲット画面が表示される。
【００５４】
図７は、図５に示すウェブページにおける、ルートデータに基づく案内（リンクの装飾）の他の例を示す図である。まず、トップページにアクセスすると、図７（Ａ）に示すように、項目＃５に重畳させて装飾画像１０１が表示される。これにより、ユーザーは、項目＃５を選択すればよいことがわかる。そして、ユーザーが項目＃５を選択しサブメニューを表示させると、図７（Ｂ）に示すように、項目Ｂに重畳させて装飾画像１０２が表示される。これにより、ユーザーは、項目Ｂを選択すればよいことがわかる。そして、ユーザーが項目Ｂを選択すると、ターゲット画面が表示される。
【００５５】
このように、過去のターゲット画面を閲覧したことがある場合、図６または図７に示すように、そのターゲット画面に案内される。
【００５６】
以上のように、上記実施の形態によれば、ルート情報送信部３２は、ウェブブラウザー３ａにより所定のウェブページが閲覧された場合、そのウェブページまでのウェブページ遷移を示すルート情報を、ウェブブラウザー３ａに送信して、ウェブサーバー１への次回のアクセス時に送信するために記憶させる。そして、ルート解析部３３は、ウェブブラウザー３ａからウェブページ閲覧要求およびルート情報を受信すると、ウェブページ閲覧要求の対象であるウェブページにおいて、ルート情報により特定されるウェブページ遷移内のいずれかのウェブページへのリンクが存在するか否かを判定し、データ編集部３４は、ルート解析部３３によりウェブページ遷移内のいずれかのウェブページへのリンクが存在すると判定された場合、ウェブページ閲覧要求の対象であるウェブページのデータを編集してそのリンクを装飾し、通信処理部３１は、そのリンクを装飾されたウェブページのデータをウェブブラウザー３ａへ送信する。
【００５７】
これにより、ウェブブラウザー３ａで表示中のウェブページにおいて、閲覧済みの所定のウェブページへのウェブページ遷移のための案内（リンクの装飾）が表示されるため、過去に閲覧したウェブページへユーザーを適切に案内することができる。
【００５８】
なお、上述の実施の形態は、本発明の好適な例であるが、本発明は、これらに限定されるものではなく、本発明の要旨を逸脱しない範囲において、種々の変形、変更が可能である。
【００５９】
例えば、上記実施の形態において、装飾画像１０１，１０２の代わりに、装飾テキストを表示するようにしてもよい。
【００６０】
また、上記実施の形態において、データ編集部３４は、複数のウェブページに対応してルート情報が複数存在する場合、ルート情報に応じて異なる装飾をリンクに対して行うようにしてもよい。つまり、複数のターゲット画面がある場合、装飾画像および装飾テキストは、ターゲット画面に応じて異なるものとしてもよい。
【００６１】
また、上記実施の形態において、ルート情報送信部３２は、ルート情報送信部３２がルート情報を送信したときの日にちおよび／または時間をクッキーに書き込んでおき、ルート解析部３３は、ルート情報送信部３２がルート情報を送信したときの日にちおよび／または時間をクッキーから取得し、データ編集部３４は、リンクを装飾するとき、ルート情報送信部３２がルート情報を送信したときの日にちおよび／または時間をリンクに対応付けて表示（例えばポップアップ表示）するためのデータを、ウェブページデータに追加する。
【産業上の利用可能性】
【００６２】
本発明は、例えば、ウェブサーバーに適用可能である。
【符号の説明】
【００６３】
１  ウェブサーバー
３ａ  ウェブブラウザー
３１  通信処理部
３２  ルート情報送信部
３３  ルート解析部
３４  データ編集部
【図１】
2013218383.tif 000003
【図２】
2013218383.tif 000004
【図３】
2013218383.tif 000005
【図４】
2013218383.tif 000006
【図５】
2013218383.tif 000007
【図６】
2013218383.tif 000008
【図７】
2013218383.tif 000009